(57)【要約】【課題】コストを低減しうるコンデンサを提供する。【解決手段】コンデンサは、長手方向が上下方向を向くとともに気液分離機能を有するタンク状の液溜部２と、液溜部２内に配置された乾燥剤ユニット３とを備えている。乾燥剤ユニット３は、通気性および通液性を有するとともに乾燥剤が収容され、かつ長手方向が上下方向を向いた乾燥剤バッグ26と、乾燥剤バッグ26の姿勢を保持する棒状姿勢保持部材27とからなる。乾燥剤バッグ26の一側縁部に上下方向にのびるとともに上下両端が開口した筒状部28を設ける。姿勢保持部材27を、下部が筒状部28の下端部よりも下方に突出するように筒状部28に通しす。姿勢保持部材27における乾燥剤バッグ26の下端部よりも下方に突出した部分の下端部に、液溜部2内に設けられた載置部22a上に載って乾燥剤ユニット３を支持する支持部29を設ける。【選択図】図３
2015132440.tif 000002
【特許請求の範囲】
【請求項１】
長手方向が上下方向を向くとともに気液分離機能を有するタンク状の液溜部と、液溜部内に配置された乾燥剤ユニットとを備えているコンデンサであって、
乾燥剤ユニットが、通気性および通液性を有するとともに乾燥剤が収容され、かつ長手方向が上下方向を向いた乾燥剤バッグと、長手方向が上下方向を向くとともに乾燥剤バッグの姿勢を保持する棒状の姿勢保持部材とからなり、乾燥剤バッグの幅方向の両側縁部のうち少なくともいずれか一方に、上下方向にのびるとともに上下両端が開口した筒状部が設けられ、姿勢保持部材が当該筒状部内に通されているコンデンサ。
【請求項２】
乾燥剤ユニットが１つの姿勢保持部材を有するとともに、乾燥剤バッグの幅方向の一側縁部に筒状部が設けられている請求項１記載のコンデンサ。
【請求項３】
乾燥剤ユニットが２つの姿勢保持部材を有するとともに、乾燥剤バッグの幅方向の両側縁部にそれぞれ筒状部が設けられている請求項１記載のコンデンサ。
【請求項４】
姿勢保持部材の下部が、乾燥剤バッグの筒状部の下端部よりも下方に突出しており、姿勢保持部材における乾燥剤バッグの下端部よりも下方に突出した部分の下端部に、液溜部内に設けられた載置部上に載って乾燥剤ユニットを支持する支持部が設けられている請求項１〜３のうちのいずれかに記載のコンデンサ。
【請求項５】
姿勢保持部材の上下両端部に、乾燥剤バッグの筒状部の上下両端よりも上下方向外方に突出し、かつ筒状部の上下両端に係合する係合部が設けられている請求項４記載のコンデンサ。
【請求項６】
姿勢保持部材の上部が、乾燥剤バッグの筒状部の上端部よりも上方に突出しており、姿勢保持部材における乾燥剤バッグの上端部よりも上方に突出した部分に、液溜部の内周面に設けられた係止用凸部に係合して乾燥剤ユニットを吊持する吊持部が設けられている請求項１〜３のうちのいずれかに記載のコンデンサ。
【請求項７】
姿勢保持部材の下端部に、乾燥剤バッグの筒状部の下端よりも下方に突出し、かつ筒状部の下端に係合する係合部が設けられている請求項６記載のコンデンサ。
【請求項８】
長手方向が上下方向を向くとともに気液分離機能を有するタンク状の液溜部と、液溜部内に配置された乾燥剤ユニットとを備えているコンデンサであって、
乾燥剤ユニットが、通気性および通液性を有するとともに乾燥剤が収容され、かつ長手方向が上下方向を向いた乾燥剤バッグと、長手方向が上下方向を向くとともに乾燥剤バッグの姿勢を保持する棒状の姿勢保持部材とからなり、乾燥剤バッグ内に姿勢保持部材が配置され、姿勢保持部材の上下両端部に、乾燥剤バッグの上下両端部に突っ張る突っ張り部が設けられているコンデンサ。
【請求項９】
姿勢保持部材の下端部に連なって、乾燥剤バッグの下方にのびる下方延長部が、乾燥剤バッグを貫通するように設けられ、下方延長部の下端部に、液溜部内に設けられた載置部上に載って乾燥剤ユニットを支持する支持部が設けられている請求項８記載のコンデンサ。
【請求項１０】
長手方向が上下方向を向くとともに気液分離機能を有するタンク状の液溜部と、液溜部内に配置された乾燥剤ユニットとを備えているコンデンサであって、
乾燥剤ユニットが、通気性および通液性を有するとともに乾燥剤が収容され、かつ長手方向が上下方向を向いた乾燥剤バッグと、長手方向が上下方向を向くとともに乾燥剤バッグの姿勢を保持する棒状の姿勢保持部材とからなり、姿勢保持部材が、乾燥剤バッグに溶着または接着されているコンデンサ。
【請求項１１】
姿勢保持部材の下部が、乾燥剤バッグの下端部よりも下方に突出しており、姿勢保持部材における乾燥剤バッグの下端部よりも下方に突出した部分の下端部に、液溜部内に設けられた載置部上に載って乾燥剤ユニットを支持する支持部が設けられている請求項１０記載のコンデンサ。
【請求項１２】
凝縮部および過冷却部が前者が上側に位置するように設けられるとともに、凝縮部と過冷却部との間に長手方向が上下方向を向いた液溜部が設けられており、凝縮部が、長手方向が左右方向を向くとともに上下方向に間隔をおいて並列状に配置された複数の熱交換管からなる少なくとも２つの熱交換パスと、凝縮部の下端の熱交換パスの冷媒流れ方向下流側端部が通じる凝縮部出口ヘッダ部とを備え、過冷却部が、長手方向が左右方向を向くとともに上下方向に間隔をおいて並列状に配置された複数の熱交換管からなる少なくとも１つの熱交換パスと、凝縮部出口ヘッダ部と左右いずれか同じ側に配置され、かつ過冷却部の上端の熱交換パスの冷媒流れ方向上流側端部が通じる過冷却部入口ヘッダ部とを備え、液溜部に、凝縮部の凝縮部出口ヘッダ部に通じる冷媒流入口と、過冷却部の過冷却部入口ヘッダ部に通じる冷媒流出口とが設けられている請求項１〜１１のうちのいずれかに記載のコンデンサ。
【請求項１３】
凝縮部および過冷却部が前者が上側に位置するように設けられるとともに、凝縮部と過冷却部との間に長手方向が上下方向を向いた液溜部が設けられており、凝縮部が、長手方向が左右方向を向くとともに上下方向に間隔をおいて並列状に配置された複数の熱交換管からなる少なくとも１つの熱交換パスと、凝縮部の下端の熱交換パスの冷媒流れ方向下流側端部が通じる凝縮部出口ヘッダ部とを備え、過冷却部が、長手方向が左右方向を向くとともに上下方向に間隔をおいて並列状に配置された複数の熱交換管からなる少なくとも１つの熱交換パスと、凝縮部出口ヘッダ部と左右いずれか同じ側に配置され、かつ過冷却部の上端の熱交換パスの冷媒流れ方向上流側端部が通じる過冷却部入口ヘッダ部とを備え、液溜部の下端が凝縮部出口ヘッダ部の下端よりも下方に位置するとともに、液溜部の上端が凝縮部出口ヘッダ部の下端よりも上方に位置しており、凝縮部出口ヘッダ部内と液溜部内における凝縮部出口ヘッダ部の下端よりも上方の部分とが連通部を介して通じさせられ、凝縮部出口ヘッダ部から流出した冷媒が、連通部を通って液溜部内に横向きに流入するようになされている請求項１〜１１のうちのいずれかに記載のコンデンサ。
【請求項１４】
左右いずれか一端部側に、凝縮部の全熱交換管が接続される第１ヘッダタンクと、過冷却部の全熱交換管が接続される第２ヘッダタンクとが、第２ヘッダタンクが第１ヘッダタンクよりも左右方向外側に位置するように設けられ、第１ヘッダタンクに凝縮部出口ヘッダ部が設けられ、第２ヘッダタンクの下端が第１ヘッダタンクの下端よりも下方に位置するとともに同上端が第１ヘッダタンクの下端よりも上方に位置し、第２ヘッダタンクにおける第１ヘッダタンクの下端よりも下方に位置する部分に過冷却部入口ヘッダ部が設けられ、第２ヘッダタンクが液溜部を兼ねており、第１ヘッダタンクの凝縮部出口ヘッダ部内と、第２ヘッダタンク内における第１ヘッダタンクの下端よりも上方の部分とが連通部を介して通じさせられ、第２ヘッダタンク内に乾燥剤ユニットが配置されている請求項１３記載のコンデンサ。
【発明の詳細な説明】
【技術分野】
【０００１】
この発明は、たとえばカーエアコンを構成する冷凍サイクルに用いられるコンデンサに関する。
【０００２】
この明細書および特許請求の範囲において、図１および図１０の上下、左右を上下、左右というものとする。
【背景技術】
【０００３】
カーエアコンを構成する冷凍サイクルのコンデンサとして、本出願人は、先に、凝縮部と、凝縮部の下方に設けられた過冷却部と、凝縮部と過冷却部との間に設けられかつ長手方向が上下方向を向くとともに気液分離機能を有する液溜部と、液溜部内に配置された乾燥剤ユニットとを備えており、凝縮部が、長手方向が左右方向を向くとともに上下方向に間隔をおいて並列状に配置された複数の熱交換管からなる少なくとも１つの熱交換パスと、凝縮部の下端の熱交換パスの冷媒流れ方向下流側端部が通じる凝縮部出口ヘッダ部とを備え、過冷却部が、長手方向が左右方向を向くとともに上下方向に間隔をおいて並列状に配置された複数の熱交換管からなる少なくとも１つの熱交換パスと、凝縮部出口ヘッダ部と左右いずれか同じ側に配置され、かつ過冷却部の上端の熱交換パスの冷媒流れ方向上流側端部が通じる過冷却部入口ヘッダ部とを備え、液溜部の下端が凝縮部出口ヘッダ部の下端よりも下方に位置するとともに、液溜部の上端が凝縮部出口ヘッダ部の下端よりも上方に位置しており、凝縮部出口ヘッダ部内と液溜部内における凝縮部出口ヘッダ部の下端よりも上方の部分とが連通部を介して通じさせられ、凝縮部出口ヘッダ部から流出した液相主体冷媒が、連通部を通って液溜部内に横向きに流入するようになされているコンデンサであって、乾燥剤ユニットが、通気性および通液性を有する材料で形成されるとともに乾燥剤が収容され、かつ長手方向が液溜部の長手方向を向いた状態で配置された乾燥剤バッグと、乾燥剤バッグを拘束するプラスチック製保持フレームとからなり、保持フレームが、水平リング状のベース部材と、ベース部材に周方向に間隔をおいて一体に形成されて上方にのび、かつ乾燥剤バッグを両側から挟着する２つの保持バーとを有し、各保持バーの内面に先端が尖った複数の歯が上下方向に連続して並ぶように内方突出状に形成され、各保持バーの上端に、他の保持バー側に突出するとともに先端部どうしが着脱自在に連結される水平突出部が一体に形成されたコンデンサを提案した（特許文献１参照）。
【０００４】
特許文献１記載のコンデンサによれば、複数の歯が乾燥剤バッグに係合することにより乾燥剤バッグが保持部材に拘束されることになるので、受液器内に流入してきた冷媒の勢いによる乾燥剤バッグの動きが防止される。したがって、乾燥剤バッグによる液溜部内の詰まりが防止され、液溜部内での冷媒の流れがスムーズになる。さらに、乾燥剤バッグの動きに起因する乾燥剤バッグ内の乾燥剤の粉砕が防止され、その結果異物の発生が防止される。
【０００５】
しかしながら、特許文献１記載のコンデンサに用いられている保持フレームは構造が比較的複雑で、製造が面倒であるという問題があり、製造コストが高くなり、ひいてはコンデンサ全体のコストアップに繋がる。
【先行技術文献】
【特許文献】
【０００６】
【特許文献１】特開２０１０−１２７５５６号公報
【発明の概要】
【発明が解決しようとする課題】
【０００７】
この発明の目的は、上記問題を解決し、コストを低減しうるコンデンサを提供することにある。
【課題を解決するための手段】
【０００８】
本発明は、上記目的を達成するために以下の態様からなる。
【０００９】
1)長手方向が上下方向を向くとともに気液分離機能を有するタンク状の液溜部と、液溜部内に配置された乾燥剤ユニットとを備えているコンデンサであって、
乾燥剤ユニットが、通気性および通液性を有するとともに乾燥剤が収容され、かつ長手方向が上下方向を向いた乾燥剤バッグと、長手方向が上下方向を向くとともに乾燥剤バッグの姿勢を保持する棒状の姿勢保持部材とからなり、乾燥剤バッグの幅方向の両側縁部のうち少なくともいずれか一方に、上下方向にのびるとともに上下両端が開口した筒状部が設けられ、姿勢保持部材が当該筒状部内に通されているコンデンサ。
【００１０】
2)乾燥剤ユニットが１つの姿勢保持部材を有するとともに、乾燥剤バッグの幅方向の一側縁部に筒状部が設けられている上記1)記載のコンデンサ。
【００１１】
3)乾燥剤ユニットが２つの姿勢保持部材を有するとともに、乾燥剤バッグの幅方向の両側縁部にそれぞれ筒状部が設けられている上記1)記載のコンデンサ。
【００１２】
4)姿勢保持部材の下部が、乾燥剤バッグの筒状部の下端部よりも下方に突出しており、姿勢保持部材における乾燥剤バッグの下端部よりも下方に突出した部分の下端部に、液溜部内に設けられた載置部上に載って乾燥剤ユニットを支持する支持部が設けられている上記1)〜3)のうちのいずれかに記載のコンデンサ。
【００１３】
5)姿勢保持部材の上下両端部に、乾燥剤バッグの筒状部の上下両端よりも上下方向外方に突出し、かつ筒状部の上下両端に係合する係合部が設けられている上記4)記載のコンデンサ。
【００１４】
6)姿勢保持部材の上部が、乾燥剤バッグの筒状部の上端部よりも上方に突出しており、姿勢保持部材における乾燥剤バッグの上端部よりも上方に突出した部分に、液溜部の内周面に設けられた係止用凸部に係合して乾燥剤ユニットを吊持する吊持部が設けられている上記1)〜3)のうちのいずれかに記載のコンデンサ。
【００１５】
7)姿勢保持部材の下端部に、乾燥剤バッグの筒状部の下端よりも下方に突出し、かつ筒状部の下端に係合する係合部が設けられている上記6)記載のコンデンサ。
【００１６】
8)長手方向が上下方向を向くとともに気液分離機能を有するタンク状の液溜部と、液溜部内に配置された乾燥剤ユニットとを備えているコンデンサであって、
乾燥剤ユニットが、通気性および通液性を有するとともに乾燥剤が収容され、かつ長手方向が上下方向を向いた乾燥剤バッグと、長手方向が上下方向を向くとともに乾燥剤バッグの姿勢を保持する棒状の姿勢保持部材とからなり、乾燥剤バッグ内に姿勢保持部材が配置され、姿勢保持部材の上下両端部に、乾燥剤バッグの上下両端部に突っ張る突っ張り部が設けられているコンデンサ。
【００１７】
9)姿勢保持部材の下端部に連なって、乾燥剤バッグの下方にのびる下方延長部が、乾燥剤バッグを貫通するように設けられ、下方延長部の下端部に、液溜部内に設けられた載置部上に載って乾燥剤ユニットを支持する支持部が設けられている上記8)記載のコンデンサ。
【００１８】
10)長手方向が上下方向を向くとともに気液分離機能を有するタンク状の液溜部と、液溜部内に配置された乾燥剤ユニットとを備えているコンデンサであって、
乾燥剤ユニットが、通気性および通液性を有するとともに乾燥剤が収容され、かつ長手方向が上下方向を向いた乾燥剤バッグと、長手方向が上下方向を向くとともに乾燥剤バッグの姿勢を保持する棒状の姿勢保持部材とからなり、姿勢保持部材が、乾燥剤バッグに溶着または接着されているコンデンサ。
【００１９】
11)姿勢保持部材の下部が、乾燥剤バッグの下端部よりも下方に突出しており、姿勢保持部材における乾燥剤バッグの下端部よりも下方に突出した部分の下端部に、液溜部内に設けられた載置部上に載って乾燥剤ユニットを支持する支持部が設けられている上記10)記載のコンデンサ。
【００２０】
12)凝縮部および過冷却部が前者が上側に位置するように設けられるとともに、凝縮部と過冷却部との間に長手方向が上下方向を向いた液溜部が設けられており、凝縮部が、長手方向が左右方向を向くとともに上下方向に間隔をおいて並列状に配置された複数の熱交換管からなる少なくとも１つの熱交換パスと、凝縮部の下端の熱交換パスの冷媒流れ方向下流側端部が通じる凝縮部出口ヘッダ部とを備え、過冷却部が、長手方向が左右方向を向くとともに上下方向に間隔をおいて並列状に配置された複数の熱交換管からなる少なくとも１つの熱交換パスと、凝縮部出口ヘッダ部と左右いずれか同じ側に配置され、かつ過冷却部の上端の熱交換パスの冷媒流れ方向上流側端部が通じる過冷却部入口ヘッダ部とを備え、液溜部に、凝縮部の凝縮部出口ヘッダ部に通じる冷媒流入口と、過冷却部の過冷却部入口ヘッダ部に通じる冷媒流出口とが設けられている上記1)〜11)のうちのいずれかに記載のコンデンサ。
【００２１】
13)凝縮部および過冷却部が前者が上側に位置するように設けられるとともに、凝縮部と過冷却部との間に長手方向が上下方向を向いた液溜部が設けられており、凝縮部が、長手方向が左右方向を向くとともに上下方向に間隔をおいて並列状に配置された複数の熱交換管からなる少なくとも１つの熱交換パスと、凝縮部の下端の熱交換パスの冷媒流れ方向下流側端部が通じる凝縮部出口ヘッダ部とを備え、過冷却部が、長手方向が左右方向を向くとともに上下方向に間隔をおいて並列状に配置された複数の熱交換管からなる少なくとも１つの熱交換パスと、凝縮部出口ヘッダ部と左右いずれか同じ側に配置され、かつ過冷却部の上端の熱交換パスの冷媒流れ方向上流側端部が通じる過冷却部入口ヘッダ部とを備え、液溜部の下端が凝縮部出口ヘッダ部の下端よりも下方に位置するとともに、液溜部の上端が凝縮部出口ヘッダ部の下端よりも上方に位置しており、凝縮部出口ヘッダ部内と液溜部内における凝縮部出口ヘッダ部の下端よりも上方の部分とが連通部を介して通じさせられ、凝縮部出口ヘッダ部から流出した冷媒が、連通部を通って液溜部内に横向きに流入するようになされている上記1)〜11)のうちのいずれかに記載のコンデンサ。
【００２２】
14)左右いずれか一端部側に、凝縮部の全熱交換管が接続される第１ヘッダタンクと、過冷却部の全熱交換管が接続される第２ヘッダタンクとが、第２ヘッダタンクが第１ヘッダタンクよりも左右方向外側に位置するように設けられ、第１ヘッダタンクに凝縮部出口ヘッダ部が設けられ、第２ヘッダタンクの下端が第１ヘッダタンクの下端よりも下方に位置するとともに同上端が第１ヘッダタンクの下端よりも上方に位置し、第２ヘッダタンクにおける第１ヘッダタンクの下端よりも下方に位置する部分に過冷却部入口ヘッダ部が設けられ、第２ヘッダタンクが液溜部を兼ねており、第１ヘッダタンクの凝縮部出口ヘッダ部内と、第２ヘッダタンク内における第１ヘッダタンクの下端よりも上方の部分とが連通部を介して通じさせられ、第２ヘッダタンク内に乾燥剤ユニットが配置されている上記13)記載のコンデンサ。
【発明の効果】
【００２３】
上記1)〜7)のコンデンサによれば、乾燥剤ユニットが、通気性および通液性を有するとともに乾燥剤が収容され、かつ長手方向が上下方向を向いた乾燥剤バッグと、長手方向が上下方向を向くとともに乾燥剤バッグの姿勢を保持する棒状の姿勢保持部材とからなり、乾燥剤バッグの幅方向の両側縁部のうち少なくともいずれか一方に、上下方向にのびるとともに上下両端が開口した筒状部が設けられ、姿勢保持部材が当該筒状部内に通されているので、姿勢保持部材の製造コストが、特許文献１記載の保持フレームの製造コストよりも安くなり、ひいてはコンデンサ全体のコストを低減することができる。
【００２４】
しかも、姿勢保持部材により液溜部内に流入してきた冷媒の勢いによる乾燥剤バッグの動きが防止される。したがって、乾燥剤バッグによる液溜部内の詰まりが防止され、液溜部内での冷媒の流れがスムーズになる。さらに、乾燥剤バッグの動きに起因する乾燥剤バッグ内の乾燥剤の粉砕が防止され、その結果異物の発生が防止される。
【００２５】
上記4)のコンデンサによれば、たとえば上記12)のコンデンサにおいて、液溜部の冷媒流入口および冷媒流出口が液溜部の下壁に設けられている場合には、姿勢保持部材の支持部の形状を、冷媒流入口および冷媒流出口と干渉しない形状とすることによって、冷媒流入口および冷媒流出口が乾燥剤ユニットにより塞がれることが防止される。
【００２６】
上記5)のコンデンサによれば、姿勢保持部材を強固に乾燥剤バッグに取り付けることができる。
【００２７】
上記6)のコンデンサによれば、たとえば上記12)のコンデンサにおいて、液溜部の冷媒流入口および冷媒流出口が液溜部の下壁に設けられている場合であっても、冷媒流入口および冷媒流出口が乾燥剤ユニットにより塞がれることが防止される。
【００２８】
上記7)のコンデンサによれば、姿勢保持部材を強固に乾燥剤バッグに取り付けることができる。
【００２９】
上記8)および9)のコンデンサによれば、乾燥剤ユニットが、通気性および通液性を有するとともに乾燥剤が収容され、かつ長手方向が上下方向を向いた乾燥剤バッグと、長手方向が上下方向を向くとともに乾燥剤バッグの姿勢を保持する棒状の姿勢保持部材とからなり、乾燥剤バッグ内に姿勢保持部材が配置され、姿勢保持部材の上下両端部に、乾燥剤バッグの上下両端部に突っ張る突っ張り部が設けられているので、姿勢保持部材の製造コストが、特許文献１記載の保持フレームの製造コストよりも安くなり、ひいてはコンデンサ全体のコストを低減することができる。
【００３０】
しかも、姿勢保持部材により液溜部内に流入してきた冷媒の勢いによる乾燥剤バッグの動きが防止される。したがって、乾燥剤バッグによる液溜部内の詰まりが防止され、液溜部内での冷媒の流れがスムーズになる。さらに、乾燥剤バッグの動きに起因する乾燥剤バッグ内の乾燥剤の粉砕が防止され、その結果異物の発生が防止される。
【００３１】
上記9)のコンデンサによれば、たとえば上記12)のコンデンサにおいて、液溜部の冷媒流入口および冷媒流出口が液溜部の下壁に設けられている場合には、姿勢保持部材の支持部の形状を、冷媒流入口および冷媒流出口と干渉しない形状とすることによって、冷媒流入口および冷媒流出口が乾燥剤ユニットにより塞がれることが防止される。
【００３２】
上記10)および11)のコンデンサによれば、乾燥剤ユニットが、通気性および通液性を有するとともに乾燥剤が収容され、かつ長手方向が上下方向を向いた乾燥剤バッグと、長手方向が上下方向を向くとともに乾燥剤バッグの姿勢を保持する棒状の姿勢保持部材とからなり、姿勢保持部材が、乾燥剤バッグに溶着または接着されているので、姿勢保持部材の製造コストが、特許文献１記載の保持フレームの製造コストよりも安くなり、ひいてはコンデンサ全体のコストを低減することができる。
【００３３】
しかも、姿勢保持部材により液溜部内に流入してきた冷媒の勢いによる乾燥剤バッグの動きが防止される。したがって、乾燥剤バッグによる液溜部内の詰まりが防止され、液溜部内での冷媒の流れがスムーズになる。さらに、乾燥剤バッグの動きに起因する乾燥剤バッグ内の乾燥剤の粉砕が防止され、その結果異物の発生が防止される。
【００３４】
上記11)のコンデンサによれば、たとえば上記12)のコンデンサにおいて、液溜部の冷媒流入口および冷媒流出口が液溜部の下壁に設けられている場合には、姿勢保持部材の支持部の形状を、冷媒流入口および冷媒流出口と干渉しない形状とすることによって、冷媒流入口および冷媒流出口が乾燥剤ユニットにより塞がれることが防止される。
【図面の簡単な説明】
【００３５】
【図１】この発明の実施形態１のコンデンサの全体構成を示す正面図である。
【図２】図１のコンデンサを模式的に示す正面図である。
【図３】図１のコンデンサの液溜部を示す一部切り欠き斜視図である。
【図４】図１のコンデンサに用いられる乾燥剤ユニットの第１の変形例を示す図３相当の図である。
【図５】図１のコンデンサに用いられる乾燥剤ユニットの第２の変形例を示す図３相当の図である。
【図６】図１のコンデンサに用いられる乾燥剤ユニットの第３の変形例を示す図３相当の図である。
【図７】図１のコンデンサに用いられる乾燥剤ユニットの第４の変形例を示す図３相当の図である。
【図８】図１のコンデンサに用いられる乾燥剤ユニットの第５の変形例を示す図３相当の図である。
【図９】図１のコンデンサに用いられる乾燥剤ユニットの第６の変形例を示す図３相当の図である。
【図１０】この発明の実施形態２のコンデンサの全体構成を示す正面図である。
【図１１】図１０のコンデンサを模式的に示す正面図である。
【図１２】図１０のコンデンサの要部を示す一部切り欠き分解斜視図である。
【図１３】図１０のコンデンサに用いられる乾燥剤ユニットの変形例を示す図１２相当の図である。
【発明を実施するための形態】
【００３６】
以下、この発明の実施形態を、図面を参照して説明する。
【００３７】
以下の説明において、図１および図１０の紙面表裏方向を通風方向というものとする。
【００３８】
また、以下の説明において、「アルミニウム」という用語には、純アルミニウムの他にアルミニウム合金を含むものとする。
【００３９】
さらに、全図面を通じて同一部分および同一物には同一符号を付して重複する説明を省略する。
【００４０】
実施形態１
この実施形態は図１〜図３に示すものである。図１は実施形態１のコンデンサの全体構成を具体的に示し、図２は実施形態１のコンデンサを、一部の部材の図示を省略して模式的に示す。また、図３は実施形態１のコンデンサの要部を示す。
【００４１】
図１および図２において、コンデンサ(1)は、凝縮部(1A)と、凝縮部(1A)の下方に設けられた過冷却部(1B)と、長手方向を上下方向に向けた状態で凝縮部(1A)と過冷却部(1B)との間に設けられ、かつ気液分離機能を有するタンク状液溜部(2)と、液溜部(2)内に配置された乾燥剤ユニット(3)とを備えている。
【００４２】
コンデンサ(1)の凝縮部(1A)および過冷却部(1B)は、幅方向を通風方向に向けるとともに長手方向を左右方向に向けた状態で上下方向に間隔をおいて配置された複数のアルミニウム製扁平状熱交換管(4)と、長手方向を上下方向に向けるとともに左右方向に間隔をおいて配置され、かつ熱交換管(4)の左右両端部がろう付により接続された２つのアルミニウム製ヘッダタンク(5)(6)と、隣り合う熱交換管(4)どうしの間および上下両端の外側に配置されて熱交換管(4)にろう付されたアルミニウム製コルゲートフィン(7)と、上下両端のコルゲートフィン(7)の外側に配置されてコルゲートフィン(7)にろう付されたアルミニウム製サイドプレート(8)とを備えている。
【００４３】
コンデンサ(1)の凝縮部(1A)には、上下に連続して並んだ複数の熱交換管(4)からなる少なくとも１つ、ここでは２つの熱交換パス(P1)(P2)が設けられている。また、コンデンサ(1)の過冷却部(1B)には、上下に連続して並んだ複数の熱交換管(4)からなる少なくとも１つ、ここでは１つの熱交換パス(P3)が設けられている。そして、各熱交換パス(P1)(P2)(P3)を構成する全ての熱交換管(4)の冷媒流れ方向が同一となっているとともに、隣り合う２つの熱交換パスの熱交換管(4)の冷媒流れ方向が異なっている。ここで、凝縮部(1A)の熱交換パス(P1)(P2)を第１および第２熱交換パスといい、過冷却部(1B)の熱交換パス(P3)を第３熱交換パスというものとする。
【００４４】
両ヘッダタンク(5)(6)内は、それぞれ第２熱交換パス(P2)と第３熱交換パス(P3)との間の高さ位置に設けられたアルミニウム製仕切部材(9)により上下２つの区画(5a)(5b)(6a)(6b)に仕切られており、コンデンサ(1)における両仕切部材(9)よりも上方に位置する部分が凝縮部(1A)となり、両仕切部材(9)よりも下方に位置する部分が過冷却部(1B)となっている。
【００４５】
左側ヘッダタンク(5)における仕切部材(9)よりも上方の区画(5a)内は、第１熱交換パス(P1)と第２熱交換パス(P2)との間の高さ位置において、アルミニウム製分割部材(11)により、凝縮部(1A)の第１熱交換パス(P1)の冷媒流れ方向上流側端部が通じる凝縮部入口ヘッダ部(12)と、第２熱交換パス(P2)の冷媒流れ方向下流側端部が通じる凝縮部出口ヘッダ部(13)とに分割されている。また、右側ヘッダタンク(6)における仕切部材(9)よりも上方の区画(6a)は、第１熱交換パス(P1)の冷媒流れ方向下流側端部および第２熱交換パス(P2)の冷媒流れ方向上流側端部が通じる凝縮部中間ヘッダ部(14)となっている。
【００４６】
左側ヘッダタンク(5)における仕切部材(9)よりも下側の区画(5b)の全体に、第３熱交換パス(P3)の冷媒流れ方向上流側端部が通じる過冷却部入口ヘッダ部(15)が設けられ、右側ヘッダタンク(6)における仕切部材(9)よりも下側の区画(6b)の全体に、第３熱交換パス(P3)の冷媒流れ方向下流側端部が通じる過冷却部出口ヘッダ部(16)が設けられている。
【００４７】
左側ヘッダタンク(5)の凝縮部入口ヘッダ部(12)の上側部分に冷媒入口(17)が形成され、左側ヘッダタンク(5)に冷媒入口(17)に通じるアルミニウム製冷媒入口部材(18)が接合されている。右側ヘッダタンク(6)の過冷却部出口ヘッダ部(16)に冷媒出口(19)が形成され、右側ヘッダタンク(6)に冷媒出口(19)に通じるアルミニウム製冷媒出口部材(21)が接合されている。
【００４８】
液溜部(2)は、左側ヘッダタンク(5)の凝縮部出口ヘッダ部(13)内に通じる冷媒流入路(23)および左側ヘッダタンク(5)の過冷却部入口ヘッダ部(15)内に通じる冷媒流出路(24)を有し、かつ両ヘッダ部(13)(15)に跨って左側ヘッダタンク(5)にろう付されたアルミニウム製ベース部材(22)と、長手方向を上下方向に向けて配置されるとともに下端部がベース部材(22)に着脱自在に固定されたアルミニウム製液溜部本体(25)とよりなる。ベース部材(22)の上面、すなわち液溜部本体(25)内に臨む面は平坦面であり、ベース部材(22)の上面に冷媒流入路(23)および冷媒流出路(24)の一端が開口している。また、ベース部材(22)の上面が、後述する姿勢保持部材(27)の支持部(29)を載せる載置部(22a)となっている。液溜部本体(25)は上端が閉鎖されるとともに下端が開口した円筒状であり、下端部がベース部材(22)に着脱自在に取り付けられている。
【００４９】
図３に示すように、乾燥剤ユニット(3)は、通気性および通液性を有するとともに乾燥剤が収容され、かつ長手方向が上下方向を向いた乾燥剤バッグ(26)と、長手方向が上下方向を向くとともに乾燥剤バッグ(26)の姿勢を保持する１つの棒状プラスチック製姿勢保持部材(27)とからなる。乾燥剤バッグ(26)と、液溜部本体(25)の周壁内周面との間には、冷媒が流れる隙間が全周にわたって確保されている。乾燥剤バッグ(26)の両側縁部のうち少なくともいずれか一方、ここでは一側縁部に、上下方向にのびるとともに上下両端が開口した筒状部(28)が設けられている。姿勢保持部材(27)は、乾燥剤バッグ(26)の筒状部(28)内に、下部が乾燥剤バッグ(26)の筒状部(28)の下端部よりも下方に突出するように通されている。姿勢保持部材(27)における乾燥剤バッグ(26)の下端部よりも下方に突出した部分の下端部に、液溜部(2)内に設けられた載置部、ここでは閉鎖部材(27)の上面に設けられた載置部(22a)上に載って乾燥剤ユニット(3)を支持する支持部(29)が一体に設けられている。支持部(29)は円環状であって、液溜部本体(25)の内周面に沿った状態で、ベース部材(22)の冷媒流入路(23)および冷媒流出路(24)の一端開口と干渉しないように、載置部(22a)上に載せられている。姿勢保持部材(27)の上下両端部に、乾燥剤バッグ(26)の筒状部(28)の上下両端よりも上下方向外方に突出し、かつ筒状部(28)の上下両端に係合する係合部(31)が設けられている。
【００５０】
コンデンサ(1)は、圧縮機、膨張弁（減圧器）およびエバポレータとともに冷凍サイクルを構成し、カーエアコンとして車両に搭載される。
【００５１】
上述した構成のコンデンサ(1)において、圧縮機により圧縮された高温高圧の気相冷媒が、冷媒入口部材(18)および冷媒入口(17)を通って左側ヘッダタンク(5)の凝縮部入口ヘッダ部(12)内に流入し、第１熱交換パス(P1)の熱交換管(4)内を右方に流れる間に凝縮させられて右側ヘッダタンク(6)の凝縮部中間ヘッダ部(14)内に流入する。右側ヘッダタンク(6)の凝縮部中間ヘッダ部(14)内に流入した冷媒は、第２熱交換パス(P2)の熱交換管(4)内を左方に流れる間に凝縮させられて、左側ヘッダタンク(5)の凝縮部出口ヘッダ部(13)内に流入する。
【００５２】
凝縮部出口ヘッダ部(13)内に流入した冷媒は、液溜部(2)のベース部材(22)の冷媒流入路(23)を通って液溜部本体(25)内に入る。冷媒が、液溜部本体(25)内に流入する際に、姿勢保持部材(27)により液溜部本体(25)内に流入してきた冷媒の勢いによる乾燥剤バッグ(26)の動きが防止される。したがって、乾燥剤バッグ(26)による液溜部本体(25)内の詰まりが防止され、液溜部本体(25)内での冷媒の流れがスムーズになる。さらに、乾燥剤バッグ(26)の動きに起因する乾燥剤バッグ(26)内の乾燥剤の粉砕が防止され、その結果異物の発生が防止される。また、液溜部本体(25)内において、冷媒が乾燥剤バッグ(26)内の乾燥剤と接触することにより、冷媒中の水分が除去される。
【００５３】
液溜部(2)内に流入した冷媒は気液混相冷媒であり、当該気液混相冷媒のうち液相主体混相冷媒は重力により液溜部本体(25)内の下部に溜まり、ベース部材(22)の冷媒流出路(24)を通って左側ヘッダタンク(5)の過冷却部入口ヘッダ部(15)内に入る。
【００５４】
左側ヘッダタンク(5)の過冷却部入口ヘッダ部(15)内に入った冷媒は、第３熱交換パス(P3)の熱交換管(4)内を右方に流れる間に過冷却された後、右側ヘッダタンク(6)の過冷却部出口ヘッダ部(16)内に入り、冷媒出口(19)および冷媒出口部材(21)を通って流出し、膨張弁を経てエバポレータに送られる。
【００５５】
図４〜図９は、実施形態１のコンデンサ(1)の液溜部(2)内に配置される乾燥剤ユニットの変形例を示す。
【００５６】
図４に示す乾燥剤ユニット(35)の場合、乾燥剤バッグ(26)の両側縁部に、それぞれ上下方向にのびるとともに上下両端が開口した筒状部(28)が設けられている。そして、乾燥剤バッグ(26)の両筒状部(28)に、それぞれ長手方向を上下方向に向けるとともに乾燥剤バッグ(26)の姿勢を保持する１つの棒状プラスチック製姿勢保持部材(27)が通されている。すなわち、乾燥剤ユニット(3)は、２つのプラスチック製棒状姿勢保持部材(27)を備えている。両姿勢保持部材(27)は、乾燥剤バッグ(26)の筒状部(28)内に、下部が乾燥剤バッグ(26)の筒状部(28)の下端部よりも下方に突出するように通されており、両姿勢保持部材(27)における乾燥剤バッグ(26)の下端部よりも下方に突出した部分の下端部に跨るように、液溜部(2)内に設けられた載置部(22a)上に載って乾燥剤ユニット(35)を支持する円環状の支持部(29)が一体に設けられている。各姿勢保持部材(27)の上下両端部に、乾燥剤バッグ(26)の筒状部(28)の上下両端よりも上下方向外方に突出し、かつ筒状部(28)の上下両端に係合する係合部(31)が設けられている。
【００５７】
図５に示す乾燥剤ユニット(40)の場合、乾燥剤バッグ(26)の一側縁部に、上下方向にのびるとともに上下両端が開口した筒状部(28)が設けられており、乾燥剤バッグ(26)の筒状部(28)に、長手方向を上下方向に向けるとともに乾燥剤バッグ(26)の姿勢を保持する１つの棒状プラスチック製姿勢保持部材(27)が、上部が乾燥剤バッグ(26)の上端よりも上方に突出するように通されている。姿勢保持部材(27)における乾燥剤バッグ(26)の上端部よりも上方に突出した部分の上端部に、液溜部本体(25)の内周面に周方向に間隔をおいて設けられた複数の係止用凸部(41)に係合して乾燥剤ユニット(40)を吊持する吊持部(42)が設けられている。係止用凸部(41)は、液溜部本体(25)を内方に変形させることにより設けられている。吊持部(42)は円環状であって、液溜部本体(25)の内周面に沿った状態で円筒状部(28)の内周面に設けられた複数の係止用凸部(41)に係合しており、これにより乾燥剤ユニット(3)の下端が閉鎖部材(27)の上面から離隔し、閉鎖部材(27)の両冷媒流路の上端開口の閉鎖が防止されている。姿勢保持部材(27)の下端部に、乾燥剤バッグ(26)の筒状部(28)の下端よりも下方に突出し、かつ筒状部(28)の下端に係合する係合部(43)が設けられている。
【００５８】
図示は省略したが、図５に示す乾燥剤ユニット(40)において、乾燥剤バッグ(26)の両側縁部に、それぞれ上下方向にのびるとともに上下両端が開口した筒状部(28)が設けられ、乾燥剤バッグ(26)の両筒状部(28)内に、それぞれ長手方向を上下方向に向けるとともに乾燥剤バッグ(26)の姿勢を保持する１つの棒状プラスチック製姿勢保持部材(27)が、上部が乾燥剤バッグ(26)の筒状部(28)の上端部よりも上方に突出するように通され、両姿勢保持部材(27)における乾燥剤バッグ(26)の上端部よりも上方に突出した部分の上端部に跨るように、液溜部本体(25)の内周面に周方向に間隔をおいて設けられた複数の係止用凸部(41)に係合して乾燥剤ユニット(40)を吊持する吊持部(42)が設けられていてもよい。この場合、各姿勢保持部材(27)の下端部に、乾燥剤バッグ(26)の筒状部(28)の下端よりも下方に突出し、かつ筒状部(28)の下端に係合する係合部(43)が設けられる。
【００５９】
図６に示す乾燥剤ユニット(45)の場合、乾燥剤バッグ(26)内に、長手方向を上下方向に向けるとともに乾燥剤バッグ(26)の姿勢を保持する１つの棒状プラスチック製姿勢保持部材(46)が配置されている。姿勢保持部材(46)の上下両端部に、乾燥剤バッグ(26)内の上下両端部に突っ張る横向きの突っ張り部(47)が設けられている。乾燥剤バッグ(26)の下端部は、ベース部材(22)の冷媒流入路(23)および冷媒流出路(24)の一端開口と干渉しないように、載置部(22a)上に載せられている。このとき、姿勢保持部材(27)の上下両突っ張り部(47)の働きによって乾燥剤バッグ(26)の姿勢が保持される。
【００６０】
図７に示す乾燥剤ユニット(50)の場合、姿勢保持部材(46)の下端部に連なって、乾燥剤バッグ(26)の下方にのびる下方延長部(51)が、乾燥剤バッグ(26)を貫通するように設けられ、下方延長部(51)の下端部に、液溜部(2)のベース部材(22)上面に設けられた載置部(22a)上に載って乾燥剤ユニット(50)を支持する横向き棒状の支持部(52)が設けられている。支持部(52)は、ベース部材(22)の冷媒流入路(23)および冷媒流出路(24)の一端開口と干渉しないように、載置部(22a)上に載せられている。
【００６１】
また、姿勢保持部材(46)の上端部に連なって、乾燥剤バッグ(26)の上方にのびる上方延長部(53)が、乾燥剤バッグ(26)を貫通するように設けられ、上方延長部(53)の上端部に横向き棒状部(54)が設けられている。横向き棒状部(54)は、乾燥剤ユニット(50)が上下逆向きに配置された場合に、ベース部材(22)の冷媒流入路(23)および冷媒流出路(24)の一端開口と干渉しないように、載置部(22a)上に載せられ、乾燥剤ユニット(50)を支持するようになっている。
【００６２】
図８に示す乾燥剤ユニット(100)の場合、乾燥剤バッグ(26)の片側は平らになっており、平らな部分(26a)の幅方向の両側縁部に、長手方向を上下方向に向けるとともに乾燥剤バッグ(26)の姿勢を保持する１つの棒状プラスチック製姿勢保持部材(101)が溶着または接着されている。すなわち、乾燥剤ユニット(100)は、２つのプラスチック製棒状姿勢保持部材(101)を備えている。両姿勢保持部材(101)の下部は乾燥剤バッグ(26)の下端部よりも下方に突出しており、両姿勢保持部材(101)における乾燥剤バッグ(26)の下端部よりも下方に突出した部分の下端部に跨るように、液溜部(2)内に設けられた載置部(22a)上に載って乾燥剤ユニット(100)を支持する円環状の支持部(102)が一体に設けられている。
【００６３】
図９に示す乾燥剤ユニット(110)の場合、乾燥剤バッグ(26)の片側は平らになっており、平らな部分(26a)の幅方向の中央部に、長手方向を上下方向に向けるとともに乾燥剤バッグ(26)の姿勢を保持する１つの棒状プラスチック製姿勢保持部材(111)が溶着または接着されている。姿勢保持部材(111)の下部は乾燥剤バッグ(26)の下端部よりも下方に突出しており、姿勢保持部材(111)における乾燥剤バッグ(26)の下端部よりも下方に突出した部分の下端部に、液溜部(2)内に設けられた載置部(22a)上に載って乾燥剤ユニット(110)を支持する横向き棒状の支持部(112)が設けられている。支持部(52)は、ベース部材(22)の冷媒流入路(23)および冷媒流出路(24)の一端開口と干渉しないように、載置部(22a)上に載せられている。
【００６４】
図４〜図９に示す乾燥剤ユニット(35)(40)(45)(50)(100)(110)においても、乾燥剤バッグ(26)と、液溜部本体(25)の周壁内周面との間には、冷媒が流れる隙間が全周にわたって確保されている。
【００６５】
実施形態２
この実施形態は図１０〜図１２に示すものである。図１０は実施形態２のコンデンサの全体構成を具体的に示し、図１１は実施形態２のコンデンサを、一部の部材の図示を省略して模式的に示す。また、図１２は実施形態２のコンデンサの要部を示す。
【００６６】
図１０および図１１において、コンデンサ(60)は、凝縮部(60A)と、凝縮部(60A)の下方に設けられた過冷却部(60B)と、長手方向を上下方向に向けた状態で凝縮部(60A)と過冷却部(60B)との間に設けられ、かつ気液分離機能を有するタンク状液溜部(61)と、液溜部(61)内に配置された乾燥剤ユニット(62)とを備えている。
【００６７】
コンデンサ(60)は、幅方向を通風方向に向けるとともに長手方向を左右方向に向けた状態で上下方向に間隔をおいて配置された複数のアルミニウム製扁平状熱交換管(63A)(63B)と、長手方向を上下方向に向けて配置されるとともに熱交換管(63A)(63B)の左右両端部がろう付により接続された３つのアルミニウム製ヘッダタンク(64)(65)(66)と、隣り合う熱交換管(63A)(63B)どうしの間および上下両端の熱交換管(63A)(63B)の外側に配置されて熱交換管(63A)(63B)にろう付されたアルミニウム製コルゲートフィン(67A)(67B)と、上下両端のコルゲートフィン(67A)(67B)の外側に配置されてコルゲートフィン(67A)(67B)にろう付されたアルミニウム製サイドプレート(68)とを備えている。
【００６８】
コンデンサ(60)の凝縮部(60A)および過冷却部(60B)には、それぞれ上下に連続して並んだ複数の熱交換管(63A)(63B)からなる少なくとも１つ、ここでは１つの熱交換パス(P1)(P2)が設けられている。そして、各熱交換パス(P1)(P2)を構成する全ての熱交換管(63A)(63B)の冷媒流れ方向が同一となっているとともに、隣り合う２つの熱交換パスの熱交換管(63A)(63B)の冷媒流れ方向が異なっている。ここで、凝縮部(60A)の熱交換パス(P1)を第１熱交換パスといい、過冷却部(60B)の熱交換パス(P2)を第２熱交換パスというものとする。
【００６９】
コンデンサ(60)の左端側には、凝縮部(60A)に設けられた第１熱交換パス(P1)の全熱交換管(63A)の左端部がろう付により接続された第１ヘッダタンク(64)と、過冷却部(60B)に設けられた第２熱交換パス(P2)の熱交換管(3B)の左端部がろう付により接続された第２ヘッダタンク(65)とが、第２ヘッダタンク(65)が左右方向外側に位置するように別個に設けられている。第２ヘッダタンク(65)の上端は第１ヘッダタンク(64)の下端よりも上方、ここでは第１ヘッダタンク(64)の上端とほぼ同一高さ位置にある。また、第２ヘッダタンク(65)の下端は第１ヘッダタンク(64)の下端よりも下方に位置しており、第２ヘッダタンク(65)における第１ヘッダタンク(64)よりも下方に位置する部分に、第２熱交換パス(P2)を構成する全熱交換管(63B)がろう付により接続されている。第２ヘッダタンク(65)が、凝縮部(60A)で凝縮した液相主体冷媒を貯留するとともに液相主体冷媒を過冷却部(60B)に供給する液溜部(61)を兼ねている。
【００７０】
第１ヘッダタンク(64)の全体に、凝縮部(60A)の第１熱交換パス(P1)（凝縮部(60A)の下端の熱交換パス）の冷媒流れ方向下流側端部が通じる１つの凝縮部出口ヘッダ部(69)が設けられている。第２ヘッダタンク(65)における第１ヘッダタンク(64)の下端よりも下方に位置する部分に、過冷却部(60B)の第２熱交換パス(P2)（過冷却部(60B)の上端の熱交換パス）の冷媒流れ方向上流側端部が通じる過冷却部入口ヘッダ部(71)が設けられている。
【００７１】
コンデンサ(60)の右端部側には、第１および第２熱交換パス(P1)(P2)を構成する全ての熱交換管(63A)(63B)の右端部が接続される第３ヘッダタンク(66)が配置されている。第３ヘッダタンク(66)の横断面形状は第１ヘッダタンク(64)と同一である。
【００７２】
第３ヘッダタンク(66)内は、第１熱交換パス(P1)と第２熱交換パス(P2)との間の高さ位置に設けられたアルミニウム製仕切部材(72)により上下２つの区画(66a)(66b)に分割されており、上側区画(66a)に、凝縮部(60A)の第１熱交換パス(P1)の冷媒流れ方向上流側端部が通じる１つの凝縮部入口ヘッダ部(73)が設けられ、同じく下側区画(66b)に、過冷却部(60B)の第２熱交換パス(P2)の冷媒流れ方向下流側端部が通じる過冷却部出口ヘッダ部(74)が設けられている。第３ヘッダタンク(66)の凝縮部入口ヘッダ部(73)の高さ方向の中程に冷媒入口(75)が形成されるとともに、過冷却部出口ヘッダ部(74)に冷媒出口(76)が形成されている。また、第３ヘッダタンク(66)に、冷媒入口(75)に通じる冷媒入口部材(77)および冷媒出口(76)に通じる冷媒出口部材(78)が接合されている。
【００７３】
図１２に示すように、第１ヘッダタンク(64)の凝縮部出口ヘッダ部(69)内における高さの中程よりも下方でかつ下端寄りの部分と、第２ヘッダタンク(65)内における凝縮部出口ヘッダ部(69)の下端よりも上方の部分とが連通部(79)を介して通じさせられている。連通部(79)は、第１ヘッダタンク(64)の周壁に形成された貫通穴(81)と、第２ヘッダタンク(65)の周壁における第１ヘッダタンク(64)の貫通穴(81)と同一高さ位置に形成された貫通穴(82)と、第１ヘッダタンク(64)と第２ヘッダタンク(65)との間に配置されて両ヘッダタンク(64)(65)にろう付され、かつ両ヘッダタンク(64)(65)の貫通穴(81)(82)どうしを通じさせる流路(84)を有するアルミニウム製連通部材(83)とを備えている。連通部材(83)の第１ヘッダタンク(64)側を向いた面および第２ヘッダタンク(65)側を向いた面は、それぞれ第１ヘッダタンク(64)の外周面および第２ヘッダタンク(65)の外周面に密着するように部分凹円筒面となっており、両部分凹円筒面を通じさせるように流路(84)が貫通状に形成されている。連通部材(83)の両部分凹円筒面が第１ヘッダタンク(64)の外周面および第２ヘッダタンク(65)の外周面にろう付されている。
【００７４】
第２ヘッダタンク(65)の過冷却部入口ヘッダ部(71)内に、冷媒中に含まれる異物を除去する異物除去部材(85)が配置されている。異物除去部材(85)は、長手方向を上下方向に向けて配置され、かつ上端が開口するとともに下端が閉鎖された有底円筒状の合成樹脂製枠部材(86)と、枠部材(86)の周壁に形成された複数の連通口(87)を塞ぐ網状フィルタ(88)とを備えている。枠部材(86)は、上端が第１熱交換パス(P1)と第２熱交換パス(P2)との間に位置しているとともに、下端が第２熱交換パス(P2)の下端の熱交換管(63B)よりも下方に位置している。枠部材(86)の周壁は、第２熱交換パス(P2)の熱交換管(63B)の左端部と干渉しないようになっている。
【００７５】
乾燥剤ユニット(62)は、第２ヘッダタンク(65)内における異物除去部材(85)よりも上方の部分に配置されている。乾燥剤ユニット(62)は、図４に示す乾燥剤ユニット(35)と同一構成であり、同一符号を付す。そして、乾燥剤ユニット(62)の両姿勢保持部材(27)の下端に跨って設けられた支持部(29)が、異物除去部材(85)の枠部材(86)の周壁上端に設けられた載置部(86a)上に、枠部材(86)の上端開口と干渉しないように載せられている。この乾燥剤ユニット(62)の場合、乾燥剤バッグ(26)と、第２ヘッダタンク(65)の周壁内周面との間には、冷媒が流れる隙間が全周にわたって確保されている。
【００７６】
コンデンサ(60)は、圧縮機、膨張弁（減圧器）およびエバポレータとともに冷凍サイクルを構成し、カーエアコンとして車両に搭載される。
【００７７】
上述した構成のコンデンサ(60)において、圧縮機により圧縮された高温高圧の気相冷媒が、冷媒入口部材(77)および冷媒入口(75)を通って第３ヘッダタンク(66)の凝縮部入口ヘッダ部(73)内に流入し、第１熱交換パス(P1)の熱交換管(63A)内を左方に流れる間に凝縮させられて第１ヘッダタンク(64)の凝縮部出口ヘッダ部(69)内に流入する。第１ヘッダタンク(64)の凝縮部出口ヘッダ部(69)内に流入した冷媒は、連通部(79)を構成する貫通穴(81)、連通部材(83)の流路(84)、および貫通穴(82)を通って第２ヘッダタンク(65)内に横向きに流入する。冷媒が、第２ヘッダタンク(65)内に流入する際に、姿勢保持部材(27)により第２ヘッダタンク(65)内に流入してきた冷媒の勢いによる乾燥剤バッグ(26)の動きが防止される。したがって、乾燥剤バッグ(26)による第２ヘッダタンク(65)内の詰まりが防止され、第２ヘッダタンク(65)内での冷媒の流れがスムーズになる。さらに、乾燥剤バッグ(26)の動きに起因する乾燥剤バッグ(26)内の乾燥剤の粉砕が防止され、その結果異物の発生が防止される。
【００７８】
第２ヘッダタンク(65)内に流入した冷媒は気液混相冷媒であり、当該気液混相冷媒のうち液相主体混相冷媒は重力により第２ヘッダタンク(65)内の下部に溜まり、異物除去部材(85)の枠部材(86)の上端開口および連通口(87)に設けられたフィルタ(88)を通って過冷却部入口ヘッダ部(71)に入る。第２ヘッダタンク(65)内において、冷媒が乾燥剤バッグ(26)内の乾燥剤と接触することにより、冷媒中の水分が除去されるとともに、フィルタ(88)を通ることにより異物が除去される。
【００７９】
過冷却部入口ヘッダ部(71)に入った冷媒は、第２熱交換パス(P2)の熱交換管(63B)内に入り、熱交換管(63B)内を右方に流れる間に過冷却された後、第３ヘッダタンク(66)の過冷却部出口ヘッダ部(74)内に入り、冷媒出口(76)および冷媒出口部材(78)を通って流出し、膨張弁を経てエバポレータに送られる。
【００８０】
図１３は、実施形態２のコンデンサの液溜部(61)内に配置される乾燥剤ユニットの変形例を示す。
【００８１】
図１３に示す乾燥剤ユニット(90)は、図６に示す乾燥剤ユニット(45)と同一の構成であり、乾燥剤ユニット(90)の下端部が、異物除去部材(85)の枠部材(86)の周壁上端面に設けられた載置部(86a)上に載せられている。このとき、姿勢保持部材(46)の上下両突っ張り部(47)の働きによって乾燥剤バッグ(26)の姿勢が保持される。
【００８２】
実施形態２のコンデンサにおいて、図３、図５、図７、図８および図９に示す乾燥剤ユニット(3)(40)(50)(100)(110)が用いられてもよい。
【産業上の利用可能性】
【００８３】
この発明によるコンデンサは、自動車に搭載されるカーエアコンに好適に用いられる。
【符号の説明】
【００８４】
(1)(60)：コンデンサ
(1A)(60A)：凝縮部
(1B)(60B)：過冷却部
(2)(61)：液溜部
(3)(35)(40)(45)(50)(62)(90)(100)(110)：乾燥剤ユニット
(4)(63A)(63B)：熱交換管
(13)(69)：凝縮部出口ヘッダ部
(15)(71)：過冷却部入口ヘッダ部
(22)：ベース部材
(22a)：載置部
(23)：冷媒流入路
(24)：冷媒流出路
(26)：乾燥剤バッグ
(27)(46)(101)(111)：姿勢保持部材
(28)：筒状部
(29)(52)(102)(112)：支持部
(31)(43)：係合部
(41)：係止用凸部
(42)：吊持部
(47)：突っ張り部
(51)：下方延長部
(64)：第１ヘッダタンク
(65)：第２ヘッダタンク
【図１】
2015132440.tif 000003
【図２】
2015132440.tif 000004
【図３】
2015132440.tif 000005
【図４】
2015132440.tif 000006
【図５】
2015132440.tif 000007
【図６】
2015132440.tif 000008
【図７】
2015132440.tif 000009
【図８】
2015132440.tif 000010
【図９】
2015132440.tif 000011
【図１０】
2015132440.tif 000012
【図１１】
2015132440.tif 000013
【図１２】
2015132440.tif 000014
【図１３】
2015132440.tif 000015